(57)【特許請求の範囲】
【請求項１】
機器が取り付けられたユニットを多段に配置され筐体に取り付けられるユニット装置において、前記ユニットの前面側に配置され、上部または下部を折り曲げて形成された前記機器を保護する機器保護カバーと、前記機器保護カバーの折り曲げられた上部面または下部面にラップして配置されるユニットベースを有するユニット枠体とを備え、前記機器保護カバーおよび前記ユニット枠体によりユニット室が構成され、前記ユニットを多段積みすることにより、前記ユニット室の上面または下面の開口部に、多段積みした上部または下部の前記ユニットがラップして上下の前記ユニット間が遮蔽されたことを特徴とするユニット装置。
【請求項２】
前記機器保護カバーは、上部および下部を折り曲げてコ字状に形成されたことを特徴とする請求項１に記載のユニット装置。
【請求項３】
前記機器保護カバーは、上部を折り曲げて形成された上部カバー体と下部を折り曲げて形成された下部カバー体とにより構成されたことを特徴とする請求項１に記載のユニット装置。
【発明の詳細な説明】
【技術分野】
【０００１】
この発明は、例えば短絡事故時にブレーカなどの機器より放出されるアークガスの上下ユニットへの侵入を防止するためのユニット装置に関するものである。
【背景技術】
【０００２】
従来の分電盤のようなユニット装置は、ユニット間に仕切りがなく、通々状態となっているため、短絡事故時にブレーカなどの機器より放出されるアークガスが、上下のユニットにまで及んでしまい、事故拡大の恐れがある。【０００３】
従来のコントロールセンタのようなユニット装置は、図１０および図１１に示すように、ユニット１側にユニット１間を遮蔽するための仕切り構造が無く、筐体３側にユニット１間を仕切るための仕切り板４が、予めそれぞれのユニット１高さに合せた位置に設けられており、ユニット１側のユニット１構成部品とは別に、筐体３側にユニット室５を構成し、ブレーカなどの機器２より放出されるアークガスを遮蔽する構造となっている。【０００４】
そのため、ユニット１構成部品以外に仕切り板４を別途筐体３側に設ける必要があり、部品点数・組立作業時間の増加となる。更に、ユニット１の段積変更及びサイズ変更が発生すると、筐体３側に設けている仕切り板４も、ユニット１の段積変更に合せて仕切り直す作業が必要になり、コストアップとなってしまう。
【先行技術文献】
【特許文献】
【０００５】
【特許文献１】特開昭６１−２３６３１２号公報
【発明の概要】
【発明が解決しようとする課題】
【０００６】
上述した従来の分電盤のようなユニット装置は、ユニット１間に仕切り構造がないので通々状態となっており、短絡事故時にブレーカなどの機器より放出されるアークガスが、上下のユニットにまで及んでしまい、事故拡大の恐れがある。【０００７】
また、従来のコントロールセンタのようなユニット装置は、ブレーカなどの機器２が取り付けられたユニット１側にユニット１間を遮蔽するための仕切り構造が無く、筐体３側にユニット１間を仕切るための仕切り板４が、予めそれぞれのユニット１高さに合せた位置に設けられており、ユニット１側のユニット１構成部品とは別に、筐体３側にユニット室５を構成し、ブレーカなどの機器２より放出されるアークガスを遮蔽する構造となっている。そのため、ユニット１構成部品以外に、仕切り板４を別途筐体３側に設ける必要があり、部品点数・組立作業時間の増加となる。更に、ユニット１の段積変更及びサイズ変更が発生すると、筐体３側に設けている仕切り板４も、ユニット１の段積変更・サイズ変更に合せて仕切り直す作業が必要になり、コストアップとなってしまう。【０００８】
この発明は、上記のような課題を解決するためになされたものであり、その目的は、簡単な構成によりユニット間を遮蔽することができるユニット装置を提供するものである。
【課題を解決するための手段】
【０００９】
この発明に係わるユニット装置は、機器が取り付けられたユニットを多段に配置され筐体に取り付けられるユニット装置において、前記ユニットの前面側に配置され、上部または下部を折り曲げて形成された前記機器を保護する機器保護カバーと、前記機器保護カバーの折り曲げられた上部面または下部面にラップして配置されるユニットベースを有するユニット枠体とを備え、前記機器保護カバーおよび前記ユニット枠体によりユニット室が構成され、前記ユニットを多段積みすることにより、前記ユニット室の上面または下面の開口部に、多段積みした上部または下部の前記ユニットがラップして上下の前記ユニット間が遮蔽されたものである。
【発明の効果】
【００１０】
この発明に係わるユニット装置によれば、簡単な構成によりユニット間を遮蔽することができるユニット装置を得ることができる。
【図面の簡単な説明】
【００１１】
【図１】この発明の実施の形態１に係わるユニット装置におけるユニット単体を示す側面図である。
【図２】この発明の実施の形態１に係わるユニット装置におけるユニット単体を示す側面図である。
【図３】この発明の実施の形態１に係わるユニット装置における多段収納した状態を示す正面図である。
【図４】この発明の実施の形態1に係わるユニット装置における多段収納した状態を示す側面図である。
【図５】この発明の実施の形態1に係わるユニット装置における多段収納した状態を示す斜視図である。
【図６】この発明の実施の形態２に係わるユニット装置におけるユニット単体を示す側面図である。
【図７】この発明の実施の形態２に係わるユニット装置におけるユニット単体を示す側面図である。
【図８】この発明の実施の形態３に係わるユニット装置におけるユニット単体を示す側面図である。
【図９】この発明の実施の形態３に係わるユニット装置におけるユニット単体を示す側面図である。
【図１０】従来のユニット装置を示す正面図である。
【図１１】従来のユニット装置を示す側面図である。
【発明を実施するための形態】
【００１２】
実施の形態１．
以下、この発明の実施の形態１を図１〜図５に基づいて説明するが、各図において、同一、または相当部材、部位については同一符号を付して説明する。図１はこの発明の実施の形態１に係わるユニット装置におけるユニット単体を示す側面図である。図２はこの発明の実施の形態１に係わるユニット装置におけるユニット単体を示す側面図である。図３はこの発明の実施の形態１に係わるユニット装置における多段収納した状態を示す正面図である。図４はこの発明の実施の形態1に係わるユニット装置における多段収納した状態を示す側面図である。図５はこの発明の実施の形態1に係わるユニット装置における多段収納した状態を示す斜視図である。
【００１３】
上述のような問題を解決するためには、筐体３側に仕切り板４を設けず、全てのユニット１間にアークガスを遮蔽できる仕切り構造とする必要がある。
【００１４】
この実施の形態１のものは、図１〜図５に示すように、ブレーカなどの機器１０２が取り付けられたユニット１０１の前面側に配置された機器保護カバー１０３の上部１０３ａおよび下部１０３ｂを折り曲げてコ字状に形成している。図１の場合は、機器保護カバー１０３の上部１０３ａ面に伸長しラップして配置されるユニットベース１０５を有するユニット枠体１０４を設け、機器保護カバー１０３とユニット枠体１０４とによりユニット室１０６が形成され、機器保護カバー１０３の上部１０３ａ面に伸長するユニット枠体１０４のユニットベース１０５により仕切り機能を持たせている。図２の場合は、機器保護カバー１０３の下部１０３ｂ面に伸長しラップして配置されるユニットベース１０７を有するユニット枠体１０４を設け、機器保護カバー１０３とユニット枠体１０４とによりユニット室１０６が形成され、機器保護カバー１０３の下部１０３ｂ面に伸長するユニット枠体１０４のユニットベース１０７により仕切り機能を持たせている。
【００１５】
このように、機器保護カバー１０３の上部１０３ａ面または下部１０３ｂ面のいずれか一方にユニット枠体１０４のユニットベース１０５またはユニットベース１０７を伸長させてラップされて取り付けることにより、ユニット枠体１０４のユニットベース１０５またはユニットベース１０７が仕切り機能を持つ構成である。そうすることにより、仕切り機能を持つユニット枠体１０４のユニットベース１０５またはユニットベース１０７側へのブレーカなどの機器１０２より放出されるアークガスの漏出を最小限に抑えることができる。そして、図４に示すように、このように仕切り機能を設けたユニット１０１を多段積みして筐体３に収納すると、自動的に全てのユニット１０１間を遮蔽することができ、短絡事故時にブレーカなどの機器１０２より放出されるアークガスの、上下に配置されたユニット１０１への侵入を防止することができる。
【００１６】
そして、上述した従来のもののように、筐体３側に仕切り板４を別途設ける必要がないため、部品点数・組立作業時間の増加もなく、コストアップも最小限に抑えることができる。更に、筐体３側に仕切り板４を設けていないため、ユニットの段積変更・サイズ変更発生時にも容易に対応可能である。
【００１７】
実施の形態２．
この発明の実施の形態２を図６および図７に基づいて説明するが、各図において、同一、または相当部材、部位については同一符号を付して説明する。図６はこの発明の実施の形態２に係わるユニット装置におけるユニット単体を示す側面図である。図７はこの発明の実施の形態２に係わるユニット装置におけるユニット単体を示す側面図である。
【００１８】
上述した実施の形態１においては、機器保護カバー１０３の上部１０３ａおよび下部１０３ｂを折り曲げてコ字状に形成した場合について述べたが、この実施の形態２においては、機器保護カバーの上部または下部のどちらか一方を折り曲げて、仕切り機能を持たせる構造としたものである。
【００１９】
図６は機器保護カバー１０８の上部１０８ａ側を折り曲げて、ユニット枠体１０４のユニットベース１０５を機器保護カバー１０８の上部１０８ａ面に伸長してラップさせて配置したことにより仕切り機能を持たせている。このように仕切り機能を設けたユニット１０１を多段積みして筐体３に収納すると、自動的に全てのユニット１０１間を遮蔽することができ、短絡事故時にブレーカなどの機器１０２より放出されるアークガスの、上下に配置されたユニット１０１への侵入を防止することができる。
【００２０】
また、図７は逆に機器保護カバー１０９の下部１０９ａ側を折り曲げて、ユニット枠体１０４のユニットベース１０７を機器保護カバー１０９の下部１０９ａ面に伸長してラップさせて配置したことにより仕切り機能を持たせている。このように仕切り機能を設けたユニット１０１を多段積みして筐体３に収納すると、自動的に全てのユニット１０１間を遮蔽することができ、短絡事故時にブレーカなどの機器１０２より放出されるアークガスの、上下に配置されたユニット１０１への侵入を防止することができる。
【００２１】
実施の形態３．
この発明の実施の形態３を図８および図９に基づいて説明するが、各図において、同一、または相当部材、部位については同一符号を付して説明する。図８はこの発明の実施の形態３に係わるユニット装置におけるユニット単体を示す側面図である。図９はこの発明の実施の形態３に係わるユニット装置におけるユニット単体を示す側面図である。
【００２２】
上述した実施の形態１においては、機器保護カバー１０３の上部１０３ａおよび下部１０３ｂを折り曲げてコ字状に形成した場合について述べたが、この実施の形態３においては、機器保護カバーが上部を折り曲げて形成された上部カバー体と下部を折り曲げて形成された下部カバー体とにより構成したものである。
【００２３】
図８は機器保護カバー１１０が上部１１１ａを折り曲げて形成された上部カバー体１１１と下部１１２ａを折り曲げて形成された下部カバー体１１２とにより構成された場合を示している。そして、ユニット枠体１０４のユニットベース１０５を機器保護カバー１１０の上部カバー体１１１の上部１１１ａ面に伸長してラップさせて配置したことにより仕切り機能を持たせている。このように仕切り機能を設けたユニット１０１を多段積みして筐体３に収納すると、自動的に全てのユニット１０１間を遮蔽することができ、短絡事故時にブレーカなどの機器１０２より放出されるアークガスの、上下に配置されたユニット１０１への侵入を防止することができる。
【００２４】
また、図９は逆にユニット枠体１０４のユニットベース１０７を機器保護カバー１１０の下部カバー体１１２の下部１１２ａ面に伸長してラップさせて配置したことにより仕切り機能を持たせている。このように仕切り機能を設けたユニット１０１を多段積みして筐体３に収納すると、自動的に全てのユニット１０１間を遮蔽することができ、短絡事故時にブレーカなどの機器１０２より放出されるアークガスの、上下に配置されたユニット１０１への侵入を防止することができる。
【００２５】
なお、この発明は、その発明の範囲内において、各実施の形態を自由に組み合わせたり、各実施の形態を適宜、変形、省略することが可能である。
【産業上の利用可能性】
【００２６】
この発明は、簡単な構成によりユニット間を遮蔽することができるユニット装置の実現に好適である。
【図１】
0006041993.tif 000002
【図２】
0006041993.tif 000003
【図３】
0006041993.tif 000004
【図４】
0006041993.tif 000005
【図５】
0006041993.tif 000006
【図６】
0006041993.tif 000007
【図７】
0006041993.tif 000008
【図８】
0006041993.tif 000009
【図９】
0006041993.tif 000010
【図１０】
0006041993.tif 000011
【図１１】
0006041993.tif 000012